(57)【要約】【課題】  外壁全体のライトアップの多様な演出を可能とすることにより、建築物の外観をより魅力的なものとすることができるカーテンウォールの照明装置を提供する。【解決手段】  外壁１を構成するカーテンウォールに備えられた照明装置外壁を構成するカーテンウォールに備えられた照明装置であって、光源からの光を特定の方向に制御するレンズを備えた照明装置【選択図】図３
2019160608.tif 000002
【特許請求の範囲】
【請求項１】
外壁を構成するカーテンウォールに備えられた照明装置であって、
光源からの光を特定の方向に制御するレンズを備えた照明装置。
【請求項２】
前記照明装置は、前記カーテンウォールを構成する無目に組み込まれている請求項１に記載の照明装置。
【請求項３】
前記照明装置は、前記カーテンウォールを構成する方立に組み込まれている請求項１に記載の照明装置。
【請求項４】
外壁を構成するカーテンウォールの照明システムであって、
光源からの光を特定の方向に制御するレンズを備え、
前記レンズが交換可能である照明システム。
【請求項５】
外壁を構成するカーテンウォールに照明装置を組み込む組込構造であって、
前記カーテンウォールを構成する無目及び／又は方立に固定されるアタッチ材と、
前記アタッチ材に固定されるカバー材と、
前記カバー材にビードを介して取り付けられ、且つ、ＬＥＤモジュール及びレンズ配置部を備えるＬＥＤカバー材と、からなる組込構造。
【請求項６】
前記ＬＥＤカバー材は、前記カバー材に螺子を用いずに取り付けられている請求項５に記載の組込構造。
【請求項７】
請求項１〜３のいずれかに記載の照明装置、請求項４に記載の照明システム、又は請求項５〜６のいずれかに記載の組込構造を備える建築物。
【発明の詳細な説明】
【技術分野】
【０００１】
本発明は、カーテンウォールの照明装置及び照明システム並びに照明装置の組込構造に関する。
【背景技術】
【０００２】
従来、夜間における建築物の意匠効果を向上させるために、建築物の外壁をライトアップすることが行われている。例えば、特許第４３９３９７９号公報（特許文献１）には、カーテンウォールを構成する方立の長手方向に沿って照明を配置することが記載されている（例えば請求項１、段落「０００４」）。
【先行技術文献】
【特許文献】
【０００３】
【特許文献１】特許第４３９３９７９号公報
【発明の概要】
【発明が解決しようとする課題】
【０００４】
特許文献１に示す、従来のカーテンウォールの照明装置では、光源からの光をカーテンウォールのパネルに直接照射しており、そのため、外壁全体のライトアップの演出を変更することが難しく、演出が単調なものとなっている。
【０００５】
本発明は、上記の課題を解決すべくなされたものであり、外壁全体のライトアップの多様な演出を可能とすることにより、建築物の外観をより魅力的なものとすることができるカーテンウォールの照明装置を提供することを目的とする。
【課題を解決するための手段】
【０００６】
上記課題を解決するための本発明の照明装置は、外壁を構成するカーテンウォールに備えられた照明装置であって、光源からの光を特定の方向に制御するレンズを備えた照明装置である。
【０００７】
本発明の照明装置においては、前記カーテンウォールを構成する無目に組み込まれていることが好ましい。この場合には、本発明の照明装置は、前記無目に一体的に設けられていることが好ましい。
【０００８】
あるいは、本発明の照明装置においては、前記カーテンウォールを構成する方立に組み込まれていることが好ましい。この場合には、本発明の照明装置は、前記方立に一体的に設けられていることが好ましい。
【０００９】
本発明はまた、外壁を構成するカーテンウォールの照明システムであって、光源からの光を特定の方向に制御するレンズを備え、前記レンズが交換可能である照明システムを提供する。
【００１０】
本発明はさらに、外壁を構成するカーテンウォールに照明装置を組み込む組込構造であって、前記カーテンウォールを構成する無目及び／又は方立に固定されるアタッチ材と、前記アタッチ材に固定されるカバー材と、前記カバー材にビードを介して取り付けられ、且つ、ＬＥＤモジュール及びレンズ配置部を備えるＬＥＤカバー材と、からなる組込構造を提供する。
【００１１】
本発明の組込構造においては、前記ＬＥＤカバーは、前記カバーに螺子を用いずに取り付けられていることが好ましい。
【００１２】
本発明はまた、本発明の照明装置、本発明の照明システム又は本発明の組込構造を備える建築物を提供する。
【００１３】
本発明の照明装置においては、建物の窓部を照明するものであることが好ましい。
【００１４】
本発明の照明装置においては、建物のスパンドル部を照明するものであることが好ましい。
【００１５】
本発明の照明装置においては、建物の吹き抜け部を照明するものであることが好ましい。
【発明の効果】
【００１６】
本発明によれば、外壁全体のライトアップの多様な演出を可能とすることにより、建築物の外観をより魅力的なものとすることができるカーテンウォールの照明装置を提供することができる。
【図面の簡単な説明】
【００１７】
【図１】一実施形態にかかるカーテンウォールを室外側から見た正面図
【図２】照明装置の組込状態を示す図１のカーテンウォールのＩ−Ｉ線概略断面図
【図３】照明装置の組込状態を示す図２の無目のＩＩ−ＩＩ線概略断面図
【図４】図３のアタッチ材の断面の拡大図
【図５】図３のカバー材としての無目カバー材の断面の拡大図
【図６】図３のＬＥＤカバー材の断面の拡大図
【図７】サッシ照射タイプのレンズに交換した図２の無目のＩＩ−ＩＩ線概略断面図
【図８】天井照射タイプのレンズに交換した図２の無目のＩＩ−ＩＩ線断概略面図
【図９】方立に組み込まれた場合の照明装置の組込状態を示す方立の概略断面図
【図１０】方立に組み込まれた場合の照明装置の組込状態を示す方立の概略断面図
【図１１】照明装置が組込まれたカーテンウォールの照射態様を示した正面図である。
【発明を実施するための形態】
【００１８】
以下、本発明の実施形態について、図面を参照して詳細に例示説明する。
【００１９】
なお、本明細書においては、共通する構成には、共通する用語を用いると共に、各図において略同一に図示して詳細な説明は省略し、必要に応じて同一の符号で示すこととする。
【００２０】
本発明の照明装置は、外壁１を構成するカーテンウォール２に備えられた照明装置２０であって、ＬＥＤモジュール２１からの光を特定の方向に制御するレンズ２２を備えるものである。
【００２１】
図１に示すように、本実施形態では、外壁１構成するカーテンウォール２は、方立３を左右方向に一定の間隔をおいて立設するとともに、この方立３の間に無目４を架橋し、方立３と無目４とにより画定される空間に、窓部５及びスパンドル部６が設けられている。図１の実施形態では、上下方向において、窓部５及びスパンドル部６が交互に設けられている。また左右方向においては、窓部５同士又はスパンドル部６同士が隣接するように設けられている。
【００２２】
図２に示すように、カーテンウォール２には、本発明の組込構造１０により、本発明の照明装置２０が組み込まれている。本実施形態では、カーテンウォール２の無目４の室内側の面に、照明装置２０が組み込まれている。
【００２３】
本発明の組込構造１０は、図３、図７及び図８に示すように、外壁１を構成するカーテンウォール２に照明装置２０を組み込む構造であって、カーテンウォール２を構成する無目４に固定されるアタッチ材１１と、アタッチ材１１に固定される無目カバー材１２と、無目カバー材１２にビード１３を介して取り付けられ、且つ、ＬＥＤモジュール２１及びレンズ２２を備えるＬＥＤカバー材１４と、からなるものである。なお、照明装置２０は、本発明の組込構造以外の手段により、カーテンウォール２に備えられてもよい。本実施形態では、ＬＥＤモジュール２１が光源として機能するものである。
【００２４】
図２及び図３に示すように、本実施形態では、アタッチ材１１は、螺子Ｓ１とポップナットＮとによりカーテンウォール２の無目４に固定されている。また、無目カバー材１２は、螺子Ｓ２によりアタッチ材１１に固定されている。
【００２５】
アタッチ材１１は、例えばアルミを押し出し成形することにより形成することができる。図４に示すように、本実施形態のアタッチ材１１は、照明装置を組み込んだ状態において、カーテンウォール２の無目４に固定するための螺子Ｓ１が貫通する２つの貫通孔１１ａが設けられた本体部１１ｂと、本体部１１ｂの上端から本体部１１ｂと略並行に延びる上側縦板１１ｃと、本体部１１ｂの下端から本体部１１ｂと略並行に延びる下側縦板１１ｄと、本体部１１ｂの上端に形成されて本体部１１ｂと略垂直に延びる上側横板１１ｅと、本体部１１ｂの下端に形成されて本体部１１ｂと略垂直に延びる下側横板１１ｆとを備えている。特に本実施形態では、照明装置を組み込んだ状態において、本体部１１ｂは、無目４に固定する際に無目４と対向する面に、本体部１１ｂの長手方向に沿って延びる一対の隆起部１１ｇが設けられている。この一対の隆起部１１ｇにより、無目４とアタッチ材１１の本体部１１ｂとの間に隙間が形成されるため、螺子Ｓ１とポップナットＮとにより無目４に容易に固定することが可能となっている。また、上側横板１１ｅには、無目カバー材１２を取り付けるための螺子Ｓ２が挿入される２つの貫通孔１１ｈが形成されている。下側横板１１ｆは、室内側の端部が肉厚となるように形成されている。
【００２６】
無目カバー材１２は、例えばアルミを押し出し成形することにより形成することができる。図５に示すように、無目カバー材１２は、照明装置を組み込んだ状態において、無目４の室内側の側面の全体を覆う大きさを有する室内側縦板１２ａと、照明装置を組み込んだ状態において室内側縦板と無目４との間に位置する室外側縦板１２ｂと、室内側縦板１２ａの下端と室外側縦板１２ｂの下端とを接続し、且つ、照明装置を組み込んだ状態において一端が無目４と接触する下側横板１２ｃと、室外側縦板１２ｂの上端に形成されて室外側縦板１２ｂと略垂直に無目４に向かって延びる第１の上側横板１２ｄと、一端が室内側縦板１２ａに接続され他端が室外側縦板１２ｂに接続された第２の上側横板１２ｅと、を備えている。
【００２７】
室内側縦板１２ａの無目４側の上端側には、照明装置を組み込んだ状態において、無目４に向かって突出する一対の突出部１２ｆが形成されている。本実施形態では、一対の突出部１２ｆは上下方向の寸法及び左右方向の寸法が同一であり、一対の突出部１２ｆの一方は、室内側縦板１２ａの上端に形成されている。
【００２８】
室外側縦板１２ｂの無目４側の下端側には、照明装置を組み込んだ状態において、無目４に向かって突出する一対の突出部１２ｇが形成されている。本実施形態では、一対の突出部１２ｇは、上下方向の寸法が同一である。また、一対の突出部１２ｇは、下端側の一方の突出部１２ｇが上端側の他方の突出部１２ｇよりも左右方向の寸法が短く形成されている。この一対の突出部１２ｇの間には、図３に示すように、アタッチ材１１の下側横板１１ｆの肉厚の部分が挿入される。
【００２９】
下側横板１２ｃの無目４側の一端には、照明装置を組み込んだ状態において、無目４に沿って上側に延びる突出部１２ｈが形成されている。突出部１２ｈは、上側部分が下側部分よりも室内側に位置するクランク形状を有しており、図３に示すように、この上側部分と無目４との間に、アタッチ材１１の下側縦板１１ｄが挿入されている。
【００３０】
第１の上側横板１２ｄには、アタッチ材１１に取り付けるための螺子Ｓ２が挿入される２つの貫通孔１２ｉが形成されている。図３に示すように、第１の上側横板１２ｄは、その下面がアタッチ材１１の上側横板１１ｅの上面と接触した状態で、螺子Ｓ２によりアタッチ材１１に取り付けられる。
【００３１】
第２の上側横板１２ｅの上面には、Ｌ字形状を有する一対の突出部１２ｊが形成されている。
【００３２】
ＬＥＤカバー材１４は、例えばアルミを押し出し成形することにより形成することができる。図６に示すように、ＬＥＤカバー材１４は、照明装置を組み込んだ状態において、室内側縦板１４ａと、下側横板１４ｂと、室外側縦板１４ｃと、上側横板１４ｄと、を備えている。
【００３３】
室内側縦板１４ａの室内側の上端には、クランク形状を有する突出部１４ｅが形成されている。この突出部１４ｅは、図３に示すように、照明装置を組み込んだ状態において、無目カバー材１２の一対の突出部１２ｆの間に挿入される。室内側縦板１４ａの室外側の上端には、略コの字型のレンズ配置部としてのレンズ保持部１４ｆの一方が形成されている。
【００３４】
本実施形態では、室内側縦板１４ａの下端と、下側横板１４ｂの一方の端とは、略コの字型の接続部１４ｇにより接続されている。下側横板１４ｂの一方の端には、室内側に向かって延びる突出部１４ｈが形成されている。本実施形態では、図３に示すように、接続部１４ｇと突出部１４ｈとにより囲まれる空間に、無目カバー材１２の一方の突出部１２ｊの先端部分が挿入される。
【００３５】
本実施形態では、下側横板１４ｂの他方の端と、室外側縦板１４ｃの下端とは、略コの字型の接続部１４ｉにより接続されている。室外側縦板１４ｃの下端には、略Ｌの字状の突出部１４ｊが形成されている。本実施形態では、図３に示すように、接続部１４ｉと突出部１４ｊとにより囲まれる空間に、無目カバー材１２の他方の突出部１２ｊの先端部分が挿入される。
【００３６】
室外側縦板１４ｃの室内側の上端には、略コの字型のレンズ配置部としてのレンズ保持部１４ｆの他方が形成されている。図３に示すように、一対のレンズ保持部１４ｆにより、照明装置２０のレンズ２２が保持される。室外側縦板１４ｃの室外側の上端には、上側横板１４ｄの一端が接続されている。上側横板１４ｄの他端には、無目４に沿って下側に延びる突出部１４ｋが形成されている。突出部１４ｋは、下側部分が上側部分よりも室外側に位置するクランク形状を有しており、この突出部１４ｋの下端は、無目カバー材１２の第１の上側横板１２ｄと接している。
【００３７】
本実施形態では、図３に示すように、アタッチ材１１の上側縦板１１ｃと、無目カバー材１２の第１の上側横板１２ｄと、ＬＥＤカバー材１４の突出部１４ｋと、により囲まれる空間に、押し出し成形されたエチレン・プロピレン・ジエンゴムからなるビード１３が配置されている。そのため、ＬＥＤカバー材１４は、無目カバー材１２に、ビード１３を介して取り付けられている。また、本実施形態では、ＬＥＤカバー材１４は、無目カバー材１２に螺子を用いずに取り付けられている。
即ち、前記ビード１３による見込方向の押圧力で、前記ＬＥＤカバー材１４が支持されている。
【００３８】
照明装置２０は、光源としてのＬＥＤモジュール２１と、レンズ２２とを備えている。図３に示すように、本実施形態では、ＬＥＤモジュール２１は、ＬＥＤカバー材１４の下側横板１４ｂに載置されている。このように、本実施形態では、照明装置２０は、組込構造１０により、無目４に一体的に設けられている。具体的には、本実施形態では、長さ３００ｍｍの複数のＬＥＤモジュール２１が直列に接続されており、その両端は、方立３に設けられた電源供給用のコネクタ（図示せず）に接続されている。
【００３９】
レンズ２２は、無目４の長手方向に連続するもので、その左右方向の端部が、それぞれ一対のレンズ保持部１４ｆに保持されて、光源としてのＬＥＤモジュール２１からの光を特定の方向に制御する。
【００４０】
本実施形態の照明装置２０では、ＬＥＤモジュール２１からの光が、レンズ２２により特定の方向に制御される。そのため、照明装置２０からの光の放射態様を、レンズ２２により変更することができる。図３に示すレンズ２２は、ＬＥＤモジュール２１からの光を、矢印で示すように窓部５の方向に制御している。図７では、ＬＥＤモジュール２１からの光は、矢印で示すようにほぼ垂直に照射されている。即ち、図７では、カーテンウォールのサッシの方向に制御されている。図８では、ＬＥＤモジュール２１からの光は、矢印で示すように室内側に照射されている。即ち、図８では、室内の天井の方向に制御されている。このように本発明においては、照明装置２０がレンズ２２を備えているため、異なるレンズを使用することにより、外壁全体のライトアップの多様な演出が可能となり、建築物の外観をより魅力的なものとすることができる。
【００４１】
特に本実施形態では、カーテンウォール２を構成する無目４に固定されるアタッチ材１１と、アタッチ材１１に固定される無目カバー材１２と、無目カバー材１２にビード１３を介して取り付けられ、且つ、ＬＥＤモジュール２１及びレンズ配置部を備えるＬＥＤカバー材１４と、からなる本発明の組込構造１０により、照明装置２０を組み込んでいる。即ち、本実施形態では、照明装置２０を構成するＬＥＤモジュール２１及びレンズ２２が、ＬＥＤカバー材１４に収容されている。そのため、ＬＥＤカバー材１４を、ＬＥＤモジュール２１からの光の放射方向が異なるレンズが収容されたＬＥＤカバー材１４と交換することで、外壁全体のライトアップの演出を簡単に変更することができる。
【００４２】
具体的には、本実施形態では、一対の突出部１２ｇの間にアタッチ材１１の下側横板１１ｆの肉厚の部分を挿入し、突出部１２ｈの上側部分と無目４との間にアタッチ材１１の下側縦板１１ｄを挿入し、突出部１４ｅを無目カバー材１２の一対の突出部１２ｆの間に挿入し、接続部１４ｇと突出部１４ｈとにより囲まれる空間に無目カバー材１２の一方の突出部１２ｊの先端部分を挿入し、接続部１４ｉと突出部１４ｊとにより囲まれる空間に無目カバー材１２の他方の突出部１２ｊの先端部分を挿入し、アタッチ材１１の上側縦板１１ｃと、無目カバー材１２の第１の上側横板１２ｄと、ＬＥＤカバー材１４の突出部１４ｋと、により囲まれる空間に、ビード１３を配置することで、ＬＥＤカバー材１４を、無目カバー１２に取り付けている。このように、本実施形態では、ＬＥＤカバー材１４は、無目カバー１２に螺子を用いずに取り付けられている。そのため、ビード１３を外し、ＬＥＤカバー材１４を無目カバー材１２に対して、無目４の室内外方向にスライドさせるだけで、簡単にＬＥＤカバー材１４を、無目カバー材１２から取り外して交換することが可能である。
【００４３】
このような本発明の照明システムは、例えば本発明の組込構造１０を採用することにより、ＬＥＤモジュール２１からの光を特定の方向に制御するレンズ２２が交換可能である。そのため、本発明の照明システムによれば、ライトアップの演出を簡単に、より多様化することが可能となる。
【００４４】
なお、上記実施形態では、照明装置２０のレンズ２２は、図３に示すように、一対のレンズ保持部１４ｆにより保持されている。そのため、本実施形態では、ＬＥＤカバー材１４の交換の代わりに、レンズ２２のみを交換することも可能である。このような構成によっても、ライトアップの演出を簡単に、より多様化することが可能となる。
【００４５】
図９及び図１０に示すように、照明装置２０は、方立に組み込んでもよい。図９の例では、方立３の、隣接する方立３と対向する面に、照明装置２０を取り付けている。また、図１０では、方立３の室内側の側面に照明装置２０を取り付けている。このように、図９及び図１０では、照明装置２０は、組込構造１０により、方立３に一体的に設けられている。このように、照明装置２０を方立３に組み込んでも、レンズを使用することにより、外壁全体のライトアップの多様な演出が可能となり、建築物の外観をより魅力的なものとすることができる。
【００４６】
上記実施例においては、建物の窓部を照明する態様について説明したが、本発明の照明装置は、建物のスパンドル部又は建物の吹き抜け部を照明するものとすることもできる。
即ち、照明装置が組込まれたカーテンウォールの照射態様を示した図１１のように、窓部５、スパンドル部６又は吹き抜け部（図示せず）の縦及び／又は横の面内方向（矢印）にＬＥＤの照射光を放射することができると共に、レンズ２２を交換することにより、ＬＥＤの照射光を面内の垂直方向に加えて、室外寄りに傾斜させたり、室内寄りに傾斜させることができる。
ＬＥＤの照射光を室外寄りに傾斜させて照射させると（図３参照）、その照射光がガラスに反射、透過されるが、そのガラスにエッチング等により模様がほどこされている場合には、照射光により模様に種々の表現が加えられる。
【００４７】
本発明は、本発明の照明装置、本発明の照明システム及び／又は本発明の組込構造を備える建築物として把握することができる。
【００４８】
本発明は、以上説明した実施形態に限定されるものではなく、多くの変形が本発明の技術的思想内で当分野において、通常の知識を有する者により可能である。
【産業上の利用可能性】
【００４９】
本発明によれば、外壁全体のライトアップの多様な演出を可能とすることにより、建築物の外観をより魅力的なものとすることができるカーテンウォールの照明装置を提供することができる。
【符号の説明】
【００５０】
１：外壁
２：カーテンウォール
３：方立
４：無目
５：窓部
６：スパンドル部
１０：組込構造
１１：アタッチ材
１１ａ：貫通孔  １１ｂ：本体部  １１ｃ：上側縦板  １１ｄ：下側縦板
１１ｅ：上側横板  １１ｆ：下側横板  １１ｇ隆起部  １１ｈ：貫通孔
１２：無目カバー材
１２ａ：室内側縦板  １２ｂ：室外側縦板  １２ｃ：下側横板
１２ｄ：第１の上側横板  １２ｅ：第２の上側横板  １２ｆ：突出部
１２ｇ：突出部  １２ｈ：突出部  １２ｉ：貫通孔  １２ｊ：突出部
１３：ビード
１４：ＬＥＤカバー材
１４ａ：室内側縦板  １４ｂ：下側横板  １４ｃ：室外側縦板
１４ｄ：上側横板  １４ｅ：突出部  １４ｆ：レンズ保持部
１４ｇ：接続部  １４ｈ：突出部  １４ｉ：接続部  １４ｊ：突出部
１４ｋ：突出部
２０：照明装置
２１：ＬＥＤモジュール
２２：レンズ
Ｎ：ポップナット
Ｓ１：螺子
Ｓ２：螺子
【図１】
2019160608.tif 000003
【図２】
2019160608.tif 000004
【図３】
2019160608.tif 000005
【図４】
2019160608.tif 000006
【図５】
2019160608.tif 000007
【図６】
2019160608.tif 000008
【図７】
2019160608.tif 000009
【図８】
2019160608.tif 000010
【図９】
2019160608.tif 000011
【図１０】
2019160608.tif 000012
【図１１】
2019160608.tif 000013